(57)【要約】【課題】電柱に架設されるメッセンジャーワイヤーを電柱の軸から偏心した位置に簡単に架設することができるようにしたメッセンジャーワイヤーの係止手段を提供する。【解決手段】本メッセンジャーワイヤーの係止手段は、柱に巻き付き、かつ、電柱１の側面から突出する突出部１２ｂを設けたバンド１０と、電柱１の側面から突出するように前記突出部１２ｂに固定されるアーム３０と、該アーム３０の任意の位置に支持され、かつ、メッセンジャーワイヤー２を係止するリンク２０とが備えられている。前記バンド１０は、電柱１をほぼ半周だけ巻き付くバンド本体１１と、該バンド本体１１の両端部３１，３１に連結され、かつ、前記突出部１２ｂを設けた一対のバンド片１２，１２とを備えたものである。また、前記アーム３０は、Ｕ字形に成形されている。さらに、前記リンク２０は、前記アーム３０が貫通する軸穴２１を形成したボビン状とされている。【選択図】図２
2007215312.tif 000002
【特許請求の範囲】
【請求項１】
電柱に巻き付き、かつ、電柱の側面から突出する突出部を設けたバンドと、
電柱の側面から突出するように前記突出部に固定されるアームと、
該アームの任意の位置に支持され、かつ、メッセンジャーワイヤーを係止するリンクとが備えられていることを特徴とするメッセンジャーワイヤーの係止手段。
【請求項２】
前記バンドは、電柱をほぼ半周だけ巻き付くバンド本体と、該バンド本体の両端部に連結され、かつ、前記突出部を設けた一対のバンド片とを備えたものであることを特徴とする請求項１に記載のメッセンジャーワイヤーの係止手段。
【請求項３】
前記アームは、Ｕ字形に成形されていることを特徴とする請求項１または２に記載のメッセンジャーワイヤーの係止手段。
【請求項４】
前記リンクは、前記アームが貫通する軸穴を形成したボビン状とされていることを特徴とする請求項１から３のいずれか１項に記載のメッセンジャーワイヤーの係止手段。
【請求項５】
前記アームと前記リンクとが接合する少なくとも一方の接合面には、滑り止めが設けられていることを特徴とする請求項１から４のいずれか１項に記載のメッセンジャーワイヤーの係止手段。
【請求項６】
前記リンクは、複数個備えられていることを特徴とする請求項１から５のいずれか１項に記載のメッセンジャーワイヤーの係止手段。
【請求項７】
前記アームの両端部には、バンドと電柱とに挟まれる平坦な座部が形成されていることを特徴とする請求項１から６のいずれか１項に記載のメッセンジャーワイヤーの係止手段。
【発明の詳細な説明】
【技術分野】
【０００１】
本発明は、メッセンジャーワイヤーを電柱に架設するためのメッセンジャーワイヤーの係止手段に関し、詳しくは、電柱に巻き付くバンドやメッセンジャーワイヤーを係止するリンクを備えたメッセンジャーワイヤーの係止手段に関する。
【背景技術】
【０００２】
電柱が傾倒しないようにするため、あるいは、電柱に架設された配電線から分岐した引込線を配線するため、各電柱間にはメッセンジャーワイヤーが架設されている。メッセンジャーワイヤーは、例えば特許文献１に開示されたような係止手段に係止されている。
【０００３】
この係止手段は、図３に示すように、電柱１に巻き付くバンド１０やメッセンジャーワイヤー２を係止するボビン状のリンク２０などを備えている。バンド１０は、電柱１のほぼ半周だけ巻き付くＣ字形のバンド本体１１や、このバンド本体１１の両端部に連結される一対のバンド片１２，１２などを備えている。
【０００４】
各バンド片１２は、電柱１およびバンド本体１１と重ね合わされる円弧状の彎曲部１２ａと、電柱１の径方向に突出する突出部１２ｂを一体成型したもので、一対の突出部１２ｂ，１２ｂは、一定の間隔があけられている。バンド本体１１と一対のバンド片１２，１２の彎曲部１２ａ，１２ａとには、多数の皿穴１３，１３…が一定の間隔で形成されており、電柱１の太さに合わせて各皿穴１３，１３が連通する。そして、電柱１の直径の各両端で連通している各皿穴１３，１３に連結具１４が連結され、バンド本体１１とバンド片１２，１２とが一体化されている。
【０００５】
連結具１４は、皿穴１３，１３に嵌まり込む偏平な頭部を有する皿ボルト１４ａと、この皿ボルト１４ａに螺合するナット１４ｂとによって構成されている。皿ボルト１４ａは、電柱１側から皿穴１３，１３内に挿入され、頭部と電柱１とが接合している。
【０００６】
そして、各バンド片１２の突出部１２ｂには、締結穴１５が形成されており、この締結穴１５に締結具１６が固定される。締結具１６は、例えばボルト１６ａとナット１６ｂとを組み合わせたものであり、ボルト１６ａの軸部が一定の間隔を有している各突出部１２ｂ，１２ｂ間に架け渡された状態とされている。また、ボルト１６ａの軸部が前記リンク２０の軸穴を貫通し、リンク２０が各突出部１２ｂ，１２ｂ間に配置されている。リンク２０の周面には、係止するメッセンジャーワイヤー２が外れにくいように、断面形状がＵ字形の凹条周溝２２が形成されている。
【０００７】
このような係止手段は、各バンド片１２の突出部１２ｂが対向した状態で、図４に示すように電柱１に取り付けられる。そして、対向した各リンク２０，２０にメッセンジャーワイヤー２の各端部が係止されることによって、メッセンジャーワイヤー２が２本の電柱１，１間に架設される。この電柱１には、配電線３が架設されており、この配電線３から引込線４が分岐し、この引込線４がメッセンジャーワイヤー２に沿って配線され、２本の電柱１，１の中間から住宅や商店などに引き込まれる。
【０００８】
【特許文献１】特開平１０−２８５７６９号公報
【発明の開示】
【発明が解決しようとする課題】
【０００９】
電柱１には、メッセンジャーワイヤー２や配電線３だけでなく、電話線などのケーブル５が架設されている場合がある。ケーブル５は、メッセンジャーワイヤー２の下側に架設されるため、メッセンジャーワイヤー２に沿って配線された引込線４が地面の方に向けられてから住宅や商店などに引き込まれると、この引込線４はケーブル５に接触ないし近接する。
【００１０】
引込線４がケーブル５に接触ないし近接しないようにするため、メッセンジャーワイヤー２を図示しない腕金に架設するようにすることも可能である。腕金がメッセンジャーワイヤー２の架設方向と垂直方向に電柱１に取り付けられることにより、この腕金に架設されるメッセンジャーワイヤー２はケーブル５と上下方向に並ばないようにすることができる。
【００１１】
しかし、腕金は、高価であるだけでなく、腕金を電柱１に取り付けるには、バンドなどの係止手段を電柱１に固定し、この係止手段に腕金を固定しなければならないなど、面倒な作業となる。
【００１２】
そこで、本発明は、電柱に架設されるメッセンジャーワイヤーを電柱の軸から偏心した位置に簡単に架設することができるようにしたメッセンジャーワイヤーの係止手段を提供することを課題とする。
【課題を解決するための手段】
【００１３】
本発明に係るメッセンジャーワイヤーの係止手段は、電柱に巻き付き、かつ、電柱の側面から突出する突出部を設けたバンドと、電柱の側面から突出するように前記突出部に固定されるアームと、該アームの任意の位置に支持され、かつ、メッセンジャーワイヤーを係止するリンクとが備えられていることを特徴としている。
【００１４】
このメッセンジャーワイヤーの係止手段によれば、メッセンジャーワイヤーの架設方向と垂直方向にアームが突出する状態でバンドを電柱に固定することにより、アームに支持されたリンクが電柱の軸から偏心し、リンクに係止されるメッセンジャーワイヤーを２本の電柱を結ぶラインから外して架設することができる。
【００１５】
また、前記本発明に係るメッセンジャーワイヤーの係止手段において、前記バンドは、電柱をほぼ半周だけ巻き付くバンド本体と、該バンド本体の両端部に連結され、かつ、前記突出部を設けた一対のバンド片とを備えたものであることが好ましい。このメッセンジャーワイヤーの係止手段によれば、バンドがバンド本体と一対のバンド片とを備えたものとされたことにより、電柱の太さに合わせて一対のバンド片がバンド本体に連結され、様々な太さの電柱に係止手段を取り付けることができる。
【００１６】
また、前記本発明に係るメッセンジャーワイヤーの係止手段において、前記アームは、Ｕ字形に成形されていることが好ましい。このメッセンジャーワイヤーの係止手段によれば、アームがＵ字形に成形されることにより、Ｉ字形のアームなどに比べて強くなり、変形しにくいようにすることができる。
【００１７】
また、前記本発明に係るメッセンジャーワイヤーの係止手段において、前記リンクは、前記アームが貫通する軸穴を形成したボビン状とされていることが好ましい。このメッセンジャーワイヤーの係止手段によれば、アームがリンクの軸穴を貫通することにより、リンクがアームから脱落しないように任意の位置に支持され、さらに、ボビン状とされることにより、メッセンジャーワイヤーがリンクから外れないように係止することができる。
【００１８】
また、前記本発明に係るメッセンジャーワイヤーの係止手段において、前記アームと前記リンクとが接合する少なくとも一方の接合面には、滑り止めが設けられていることが好ましい。このメッセンジャーワイヤーの係止手段によれば、アームとリンクとが接合する少なくとも一方の接合面に滑り止めが形成されていることにより、リンクが位置ずれしないようにすることができ、メッセンジャーワイヤーを所期の位置で架設することができる。
【００１９】
また、前記本発明に係るメッセンジャーワイヤーの係止手段において、前記リンクは、複数個備えられていることが好ましい。このメッセンジャーワイヤーの係止手段によれば、リンクが複数個備えられていることにより、複数本のメッセンジャーワイヤーを異なる方向に架設することができる。さらに、Ｕ字形に成形されたアームにリンクが支持される場合は、各リンクは、電柱から等距離離れて偏心し、複数本のメッセンジャーワイヤーを直線状に連続して架設することができる。
【００２０】
また、前記本発明に係るメッセンジャーワイヤーの係止手段において、前記アームの両端部には、バンドと電柱とに挟まれる平坦な座部が形成されていることが好ましい。このメッセンジャーワイヤーの係止手段によれば、アームの両端部に平坦な座部が形成され、この座部がバンドと電柱とに挟まれることにより、アームを安定した姿勢で突出部に固定することができる。
【発明の効果】
【００２１】
本発明によれば、メッセンジャーワイヤーの係止手段がバンド、アームそしてリンクを備えたものとされ、アームが電柱から突出するようにバンドに固定され、アームにリンクが支持されることにより、リンクに係止されるメッセンジャーワイヤーを電柱から偏心した位置に簡単に架設することができる。したがって、電柱に架設される配電線から分岐した引込線をメッセンジャーワイヤーに沿って配線し、地面の方に向けても電柱に架設されている電話線などのケーブルに接触ないし近接しないようにすることができる。この結果、引込線はケーブルを考慮することなく配線することができるため、引込線を住宅や商店などに引き込む作業時間を短縮することができる。
【発明を実施するための最良の形態】
【００２２】
本発明に係るメッセンジャーワイヤーの係止手段の一実施形態について図１および図２を参照しながら説明する。ただし、従来と同一部分は、同一符号を付して説明する。
【００２３】
このメッセンジャーワイヤーの係止手段は、図１に示すように、従来と同様のバンド１０やリンク２０に加え、アーム３０を備えていることを特徴としている。バンド１０は、電柱１のほぼ半周だけ巻き付くＣ字形のバンド本体１１と、このバンド本体１１の両端部に固定される一対のバンド片１２，１２とが連結具１４によって一体化されたものである。バンド本体１１とバンド片１２，１２とには、多数の皿穴１３，１３…が形成されており、この皿穴１３，１３が電柱１の太さに合わせて重ね合わされ、この皿穴１３，１３を貫通する連結具１４の皿ボルト１４ａにナット１４ｂが締結されることによって、バンド本体１１と一対のバンド片１２，１２とが一体化される。
【００２４】
また、各バンド片１２は、電柱１に重なり合う円弧状の彎曲部１２ａから電柱１の径方向に突出する突出部１２ｂが設けられており、一定の間隔があけられた一対の突出部１２ｂ，１２ｂの締結穴に締結具１６が固定されることにより、バンド１０が電柱１に固定される。
【００２５】
そして、前記アーム３０は、この締結具１６によって突出部１２ｂに固定される。アーム３０は、Ｕ字形に成形されており、電柱１の表面からの突出量が例えば２０ｃｍ〜６０ｃｍ程度まで、複数種類のものが用意されている。
【００２６】
いずれのアーム３０も、突出部１２ｂと接合する両端部３１，３１が平板状に形成され、突出部１２ｂから突出する中間部３２が軸状に形成されている。そして、各バンド片１２，１２の突出部１２ｂ，１２ｂと接合するアーム３０の両端部３１，３１には、前記締結具１６のボルト１６ａが貫通する連通穴３１ａが形成されている。
【００２７】
さらに、アーム３０の各端部３１には、バンド片１２の彎曲部１２ａと電柱１とに挟まれるように外向きに折曲した座部３３が形成されている。この座部３３によって、アーム３０は安定した姿勢で突出部１２ｂに固定される。
【００２８】
そして、アーム３０の中間部３２にリンク２０が支持される。すなわち、リンク２０には軸穴２１が形成されており、アーム３０の中間部３２がリンク２０の軸穴２１を貫通する。このリンク２０がアーム３０上を移動しないようにするため、アーム３０の中間部３２および／またはリンク２０の軸穴２１の接合面、換言すれば、リンク２０がアーム３０の中間部３２に作用する面、すなわち、中間部３２が向き合っている面および／またはリンク２０の軸穴の全面には、滑り止めが設けられている。滑り止めは、凹凸形状、摩擦係数の大きなシートを貼着したものなど限定するものではない。
【００２９】
そして、リンク２０の外周は、係止するメッセンジャーワイヤー２が外れないように凹条周溝２２が形成されている。ただし、リンク２０の外周は、凹条周溝２２に替え、両端縁に鍔部を形成したものとしてもよい。
【００３０】
このようなリンク２０は、係止手段が電柱１に取り付けられた後に追加することが面倒であるため、予め、２個または３個のリンク２０がアーム３０の中間部３２に支持されていることが好ましい。そして、必要に応じて、２本または３本のメッセンジャーワイヤー２が各リンク２０に係止され、２方向または３方向に架設される。
【００３１】
１本のメッセンジャーワイヤー２が２本の電柱１，１に架設されるときは、図２に示すように、それぞれの電柱１，１にメッセンジャーワイヤーの係止手段を取り付ける。各係止手段は、アーム３０がメッセンジャーワイヤー２の架設方向と垂直方向に突設するように電柱１に取り付けられる。そして、各アーム３０に支持されているリンク２０は、各電柱１から等距離離隔し、メッセンジャーワイヤー２の端部が係止される。
【００３２】
このメッセンジャーワイヤー２は、２本の電柱１，１の中心を結ぶラインＬから偏心して架設される。したがって、図４参照に示すように、２本の電柱１，１に電話線などのケーブル５が架設されている場合において、配電線３から分岐した引込線４がメッセンジャーワイヤー２に沿って配線され、地面の方に向けてから住宅や商店などに引き込まれても、この引込線４はケーブル５と接触ないし近接することがない。
【００３３】
そして、ある電柱１を挟んで、両方向または３方向にメッセンジャーワイヤー２を架設するときは、図２の仮想線に示すように、１本のアーム３０に支持されている２個または３個のリンク２０のそれぞれにメッセンジャーワイヤー２の端部を係止する。
【００３４】
なお、本発明は、前記の実施形態に限定することなく、特許請求の範囲に記載された発明特定事項の範囲内において種々変更することができる。例えば、アーム３０は、Ｕ字形に替え、Ｌ字形やＩ字形としてもよい。この場合のアーム３０の基端部は、一対のバンド片１２，１２の突出部１２ｂの間隔とほぼ同じ厚さとしてもよい。また、バンド１０は、バンド本体１１とバンド片１２，１２とを組み合わせたものではなく、バンド本体１１に突出部１２ｂを設けたものとしてもよい。
【図面の簡単な説明】
【００３５】
【図１】本発明に係るメッセンジャーワイヤーの係止手段の一実施形態を示す斜視図である。
【図２】本発明に係るメッセンジャーワイヤーの係止手段の一実施形態を示す断面正面図である。
【図３】従来のメッセンジャーワイヤーの係止手段の一例を示す断面正面図である。
【図４】従来のメッセンジャーワイヤーの係止手段を取り付けた電柱などを含む斜視図である。
【符号の説明】
【００３６】
１……電柱
２……メッセンジャーワイヤー
１０…バンド
１１…バンド本体
１２…バンド片
１２ｂ…突出部
２０…リンク
２１…軸穴
２２…凹条周溝
３０…アーム
３３…座部
【図１】
2007215312.tif 000003
【図２】
2007215312.tif 000004
【図３】
2007215312.tif 000005
【図４】
2007215312.tif 000006